(57)【要約】      （修正有）【課題】細胞外液の移動の影響を考慮した精度の高い体組成計を提供する。【解決手段】インピーダンス計測部１０１は定電流発生回路４１Ａで発生させる交流電流の周波数を順次指定し、電圧用電極１１〜１４より得られる電圧値と交流電流の電流値とに基づいて、周波数ごとに全身インピーダンスおよび少なくとも１つの身体部位の部位別インピーダンスを計測する。部位別インピーダンス補正部１０２は周波数ごとの全身インピーダンスの値に基づき全身の第１の細胞外液と第１の細胞内液の抵抗成分とを算出し、周波数ごとの部位別インピーダンスの値に基づき、身体部位の第２の細胞外液と第２の細胞内液の抵抗成分とを算出し、第１の細胞外液と第１の細胞内液の抵抗成分との対応関係に基づいて第２の細胞外液の抵抗成分を修正する。第２の細胞内液の抵抗成分と修正後の第２の細胞外液の抵抗成分とに基づいて体組成演算用の部位別インピーダンス、体組成を計算する。【選択図】        図３
2006239229.tif 000002
【特許請求の範囲】
【請求項１】
複数の異なる周波数ごとに、全身の生体電気インピーダンスを計測する第１の計測手段と、
前記複数の異なる周波数ごとに、左腕、右腕、左脚、右脚、体幹のうち少なくともいずれか１つの身体部位の生体電気インピーダンスを計測する第２の計測手段と、
前記第１の計測手段により計測される複数の前記全身の生体電気インピーダンスから、該全身の生体電気インピーダンスを構成する複数の第１の成分を算出する第１の算出手段と、
前記第２の計測手段により計測される複数の前記身体部位の生体電気インピーダンスから、該身体部位の生体電気インピーダンスを構成する複数の第２の成分を算出する第２の算出手段と、
前記複数の第１の成分と、前記複数の第２の成分のうちの少なくとも１つの構成成分とを用いて、前記複数の第２の成分のうちの残りの構成成分を修正するための修正手段とを備える、体組成計。
【請求項２】
前記第２の計測手段は、複数の異なる身体部位の生体電気インピーダンスを計測する、請求項１に記載の体組成計。
【請求項３】
前記複数の第１の成分に含まれる構成成分、および、前記複数の第２の成分に含まれる構成成分は、各々、少なくとも、細胞外液の抵抗成分、細胞内液の抵抗成分、のいずれかに対応する成分である、請求項１に記載の体組成計。
【請求項４】
少なくとも前記修正手段で修正された修正後の構成成分を含む複数の成分から、前記身体部位の体組成算出用の生体電気インピーダンスを算出するインピーダンス算出手段と、
前記インピーダンス算出手段により算出された前記体組成算出用の生体電気インピーダンスから、前記身体部位の体組成を算出する体組成算出手段とをさらに備える、請求項１〜３のいずれかに記載の体組成計。
【請求項５】
前記身体部位の体組成は、少なくとも、体脂肪量、体脂肪率、除脂肪量、除脂肪率、骨量、筋肉量、筋肉率のいずれかを含む、請求項４に記載の体組成計。
【請求項６】
前記体組成算出手段は、前記インピーダンス算出手段により算出された前記体組成算出用の生体電気インピーダンスと、年齢、性別、身長、体重などの身体特定情報とから、前記身体部位の体組成を算出する、請求項４に記載の体組成計。
【請求項７】
前記身体特定情報に含まれる体重を計測するための体重計測手段をさらに備える、請求項６に記載の体組成計。
【請求項８】
前記体組成算出手段により算出された前記身体部位の体組成を、前記身体部位に対応付けて表示する表示手段をさらに備える、請求項４に記載の体組成計。
【請求項９】
身体の複数の部位に接触させるための複数の電極と、
交流電流を流すための１対の電流用電極と電圧を測定するための１対の電圧用電極とを各々選択するために、前記複数の電極を切り替えるための切替手段とをさらに備える、請求項１に記載の体組成計。
【請求項１０】
前記修正手段は、
第１の比率である、前記複数の第１の成分に含まれる前記細胞内液の抵抗成分に対応する構成成分に対する前記細胞外液の抵抗成分に対応する構成成分の比と、第２の比率である、前記複数の第２の成分に含まれる前記細胞内液の抵抗成分に対応する構成成分に対する前記細胞外液の抵抗成分に対応する構成成分の比とが一致するか否かを判断するための判断手段を含み、
前記判断手段により、前記第１の比率と前記第２の比率とが一致していないと判断された場合に、前記第１の比率と前記第２の比率が一致するように、前記複数の第２の成分に含まれる前記細胞外液の抵抗成分に対応する構成成分を修正する、請求項３に記載の体組成計。
【発明の詳細な説明】
【技術分野】
【０００１】
本発明は、生体電気インピーダンスを計測するインピーダンス計測装置に関し、特に、生体電気インピーダンスを計測することにより被験者の体組成を測定することのできる体組成計に関する。
【背景技術】
【０００２】
従来より、生体電気インピーダンス（以下、単に「インピーダンス」という）を計測することにより被験者の体組成を測定する体組成計は、被験者の健康管理に用いられている。また、被験者の身体を複数の部位に分割して、部位別のインピーダンスを計測して、体組成を計算できるものがある（特許文献１〜３参照）。
【特許文献１】国際公開第２００２／０４３５８６号パンフレット
【特許文献２】特開２００３−２９０１６６号公報
【特許文献３】特表平１０−５１０４５５号公報
【発明の開示】
【発明が解決しようとする課題】
【０００３】
上記特許文献１〜３によると、身体部位ごとに１つのインピーダンスを計測することができるため、より詳細な体組成を測定することができる。
【０００４】
しかしながら、部位別のインピーダンスは、測定する時刻によって、特にリンパ液等の細胞外液の移動による影響を大きく受けるが、特許文献１〜３では、このような細胞外液の移動による日内変動の影響が考慮されていない。
【０００５】
本発明は、上記のような問題を解決するためになされたものであって、その目的は、細胞外液の移動の影響を考慮した精度の高い体組成計を提供することである。
【課題を解決するための手段】
【０００６】
この発明のある局面に従う体組成計は、複数の異なる周波数ごとに、全身の生体電気インピーダンスを計測する第１の計測手段と、複数の異なる周波数ごとに、左腕、右腕、左脚、右脚、体幹のうち少なくともいずれか１つの身体部位の生体電気インピーダンスを計測する第２の計測手段と、第１の計測手段により計測される複数の全身の生体電気インピーダンスから、該全身の生体電気インピーダンスを構成する複数の第１の成分を算出する第１の算出手段と、第２の計測手段により計測される複数の身体部位の生体電気インピーダンスから、該身体部位の生体電気インピーダンスを構成する複数の第２の成分を算出する第２の算出手段と、複数の第１の成分と、複数の第２の成分のうちの少なくとも１つの構成成分を用いて、複数の第２の成分のうちの残りの構成成分を修正するための修正手段とを備える。
【０００７】
好ましくは、上記第２の計測手段は、複数の異なる身体部位の生体電気インピーダンスを計測する。
【０００８】
好ましくは、複数の第１の成分に含まれる構成成分、および、複数の第２の成分に含まれる構成成分は、各々、少なくとも、細胞外液の抵抗成分、細胞内液の抵抗成分、のいずれかに対応する成分である。
【０００９】
好ましくは、少なくとも修正手段で修正された修正後の構成成分を含む複数の成分から、身体部位の体組成算出用の生体電気インピーダンスを算出するインピーダンス算出手段と、インピーダンス算出手段により算出された体組成算出用の生体電気インピーダンスから、身体部位の体組成を算出する体組成算出手段とをさらに備える。
【００１０】
好ましくは、身体部位の体組成は、少なくとも、体脂肪量、体脂肪率、除脂肪量、除脂肪率、骨量、筋肉量、筋肉率のいずれかを含む。
【００１１】
好ましくは、上記体組成算出手段は、インピーダンス算出手段により算出された体組成算出用の生体電気インピーダンスと、年齢、性別、身長、体重などの身体特定情報とから、身体部位の体組成を算出する。
【００１２】
好ましくは、身体特定情報に含まれる体重を計測するための体重計測手段をさらに備える。
【００１３】
好ましくは、体組成算出手段により算出された身体部位の体組成を、身体部位に対応付けて表示する表示手段をさらに備える。
【００１４】
好ましくは、身体の複数の部位に接触させるための複数の電極と、交流電流を流すための１対の電流用電極と電圧を測定するための１対の電圧用電極とを各々選択するために、複数の電極を切り替えるための切替手段とをさらに備える。
【００１５】
好ましくは、上記修正手段は、第１の比率である、複数の第１の成分に含まれる細胞内液の抵抗成分に対応する構成成分に対する細胞外液の抵抗成分に対応する構成成分の比と、第２の比率である、複数の第２の成分に含まれる細胞内液の抵抗成分に対応する構成成分に対する細胞外液の抵抗成分に対応する構成成分の比とが一致するか否かを判断するための判断手段を含み、判断手段により、第１の比率と第２の比率とが一致していないと判断された場合に、第１の比率と第２の比率が一致するように、複数の第２の成分に含まれる細胞外液の抵抗成分に対応する構成成分を修正する。
【００１６】
好ましくは、被験者の身体の複数の所定の部位に対応付けて接触させるための複数の電極と、交流電流を流すための１対の電流用電極と電圧を測定するための１対の電圧用電極とを各々選択するために、複数の電極を切り替えるための切替手段と、指示に応じて、複数の異なる周波数の交流電流を発生するための発生手段と、発生手段で発生させる交流電流の周波数を順次指定するための指定手段と、電圧用電極より得られる電圧値と交流電流の電流値とに基づいて、周波数ごとに、全身インピーダンスおよび少なくとも１つの身体部位の第１の部位別インピーダンスを計測するための計測手段と、計測手段により計測された周波数ごとの全身インピーダンスおよび第１の部位別インピーダンスに基づいて、第１の部位別インピーダンスを補正するための補正手段とを備える。このような補正手段は、計測手段で計測された周波数ごとの全身インピーダンスの値に基づき、全身における第１の細胞外液の抵抗成分と第１の細胞内液の抵抗成分とを算出するための第１の算出手段と、計測手段で計測された周波数ごとの部位別インピーダンスの値に基づき、身体部位における第２の細胞外液の抵抗成分と第２の細胞内液の抵抗成分とを算出するための第２の算出手段と、第１の算出手段により算出された第１の細胞外液の抵抗成分と第１の細胞内液の抵抗成分との対応関係に基づいて、第２の算出手段で算出された第２の細胞外液の抵抗成分を修正するための修正手段と、第２の算出手段で算出された第２の細胞内液の抵抗成分と修正手段による修正後の第２の細胞外液の抵抗成分とに基づいて、体組成算出用の部位別インピーダンスを算出するための第３の算出手段とを含む。さらに、第３の算出手段により算出された体組成算出用の部位別インピーダンスと、被験者の身体特定情報とに基づいて、身体部位の部位別体組成を計算するための第１の計算手段を備える。
【発明の効果】
【００１７】
本発明によると、身体部位における細胞外液の抵抗成分を修正することによって、細胞外液の移動の影響による部位別インピーダンスの日内変動を補正することができる。これにより、精度の高い体組成を計算することができる。
【発明を実施するための最良の形態】
【００１８】
本発明の実施の形態について図面を参照しながら詳細に説明する。なお、図中同一または相当部分には同一符号を付してその説明は繰返さない。
【００１９】
＜本発明の実施の形態における体組成計の外観および構成＞
図１は、本発明の実施の形態における体組成計１００の外観斜視図である。
【００２０】
図１を参照して、体組成計１００は、第１の筐体１および第２の筐体２により構成される。第１の筐体１および第２の筐体２は、ケーブル３により接続される。体組成計１００には、被験者の身体の複数の所定の部位に対応付けて接触させるための複数の電極１１〜１８が設けられる。
【００２１】
第１の筐体１には、被験者の左足を載置するための載置部１．１と、被験者の右足を載置するための載置部１．２と、第２の筐体２とケーブル３とを収納するための収納部４とが設けられる。なお、第１の筐体１の内部には、被験者の体重を計測するための体重計測部３２（図３参照）、たとえば体重センサが設けられているものとする。
【００２２】
載置部１．１および１．２には、それぞれ被験者の足裏に接触させるための電極が２つずつ備えられる。左足用の載置部１．１には、左足の指側に電流印加用の電極１７が設けられ、左足の踵側に電圧測定用の電極１３が設けられる。また同様に、右足用の載置部１．２には、右足の指側に電流印加用の電極１８が設けられ、左足の踵側に電圧測定用の電極１４が設けられる。
【００２３】
また、載置部１．１および１．２は、被験者が両足を載置すると上記電極１３，１４，１７，１８と接触するように、ほぼ足の外形をなすように形成されている。これにより、両足裏が左右方向に載置部１．１および１．２からずれたとしても、電流印加用の電極１７，１８および電圧測定用の電極１３，１４からはずれにくいので、接触部位および接触面積の変動による誤差の発生を防止することができる。また、大腿部における接触状態の変動による影響も防止することができる。したがって、信頼性の高い測定が可能となる。
【００２４】
第２の筐体２は、本体部２．１と、被験者が左手で握るための左手用のグリップ部２．２と、被験者が右手で握るための右手用のグリップ部２．３とにより構成される。
【００２５】
本体部２．１の前面には、測定結果や各種情報を表示するための表示部２０、および、被験者により操作されて、被験者からの指示や各種情報の入力を受付けるための操作部３０が設けられる。なお、第２の筐体２の本体部２．１に設けられた表示部２０および操作部３０については、後に、図４を用いて詳細に説明する。
【００２６】
なお、本実施の形態においては、操作部３０に含まれる電源スイッチ３０１は、たとえば第１の筐体１の前面中央に設けられる。
【００２７】
第２の筐体２のグリップ部２．２および２．３には、それぞれ被験者の手の内側に接触させるための電極が２つずつ設けられる。左手用のグリップ部２．２には、左手の親指側に電流印加用の電極１５が設けられ、左手の小指側に電圧測定用の電極１１が設けられる。同様に、右手用のグリップ部２．３には、右手の親指側に電流印加用の電極１６が設けられ、右手の小指側に電圧測定用の電極１２が設けられる。
【００２８】
このように、本発明の実施の形態における体組成計１００は、左手、右手、左足、右足の４つの部位にそれぞれ電流印加用および電圧測定用の電極を接触させる構成とされる。なお、このような構成に限られず、たとえば、さらに他の部位用の電流印加用および電圧測定用の電極を備えることとしてもよい。
【００２９】
図２は、被験者が本発明の実施の形態における体組成計１００を用いて、体組成を測定する際の測定姿勢を示す図である。
【００３０】
図２を参照して、被験者２００は、直立した姿勢で、左足２０３および右足２０４をそれぞれ第１の筐体１の載置部１．１および１．２に配置する。また、左手２０１で第２の筐体のグリップ部２．２を握り、右手２０２でグリップ部２．３を握る。この際、両腕２０５および２０６の肘を伸ばし、第２の筐体２が身体前方に対向するようにほぼ肩の高さに保持し、腕２０５，２０６と胴２０７とが略直角をなすようにする。
【００３１】
図３は、本発明の実施の形態における体組成計１００のブロック図である。図３を参照して、体組成計１００は、上記した複数の電極１１〜１８、表示部２０、操作部３０、および体重計測部３２に加え、体組成計１００全体の制御や各種演算等の処理を行なうためのマイコン（マイクロコンピュータの略）１０と、複数の異なる周波数の交流定電流を発生するための定電流発生回路４１Ａと、電流印加用の電極１５〜１８を切り替えるための電流印加用電極切替回路４２と、電圧測定用の電極１１〜１４を切り替えるための電圧測定用電極切替回路４３と、電圧測定用電極切替回路４３より得られる電圧情報および体重計測部３２より得られる体重情報のいずれか一方に入力を切り替えるため入力切替回路４４と、入力切替回路４４より得られる電圧情報および体重情報をアナログ信号からデジタル信号に変換するためのＡ（analog）／Ｄ（digital）変換回路４５と、操作部３０に含まれる電源スイッチ３０１が操作されることによりマイコン１０に電力を供給するための電源部３１と、測定結果などの情報を記憶するための外部メモリ３３とを備える。また、マイコン１０には、各種制御プログラムなどを記憶するための内部メモリ１３３が含まれる。
【００３２】
なお、本実施の形態において、外部メモリ３３は、たとえば、ＥＥＰＲＯＭ（Electrically Erasable Programmable Read-Only Memory）を含んでおり、後に詳述する被験者の身体特定情報や、体組成などの測定結果は、このＥＥＰＲＯＭに格納される。
【００３３】
ここで、「身体特定情報」とは、本発明の実施の形態において、被験者の全身および部位別の体組成を計算する際に必要となる被験者の身体情報である。
【００３４】
全身の体組成を計算する場合に必要となる「身体特定情報」は、少なくとも身長および体重の情報であり、より好ましくは、身長および体重に加え、年齢および性別などを含む情報である。また、部位別の体組成を計算する場合に必要となる「身体特定情報」は、少なくとも身長あるいは各身体部位の軸方向の長さおよび体重の情報であり、より好ましくは、身長あるいは各身体部位の軸方向の長さおよび体重に加え、年齢および性別などを含む情報である。
【００３５】
ここでの説明においては、全身および部位別の体組成を計算するために必要となる「身体特定情報」として、身長，体重，年齢および性別の４つの身体情報をいうものとする。
【００３６】
体組成計１００では、身体特定情報のうちの体重については、体重計測部３２において測定することができる。したがって、体組成測定の際、本実施の形態では、被験者により予め他の３つの身体情報（身長，年齢，性別）が操作部３０を用いて入力される。
【００３７】
なお、体組成計１００に、体重計測部３２を設けない構成であってもよく、この場合、予め、上記４つの身体情報（身長，体重，年齢，性別）が操作部３０により入力されるものとする。
【００３８】
なお「部位別」とは、全身を分割した身体部位ごとであることを表わす。また、本実施の形態においては、全身を左腕、右腕、左脚、右脚、体幹の５つの身体部位に分割するものとする。したがって、部位別の体組成として、左腕、右腕、左脚、右脚、体幹の５つの身体部位の体組成を計測する。ここで、「左腕」、「右腕」とは、たとえば各腕の手首から肩口までを表わす身体部位であり、「左脚」、「右脚」とは、たとえば各脚の足首から脚の付け根までを表わす身体部位であり、「体幹」とは、胴体を表わす身体部位であるものとする。
【００３９】
また、本実施の形態において、「全身の体組成」とは、少なくとも全身の除脂肪量および体脂肪率のいずれかであり、より好ましくは、全身の除脂肪量および体脂肪率に加え、全身の筋肉量、筋肉率、内臓脂肪レベルなどを含む生体情報である。
【００４０】
また、「部位別の体組成」とは、少なくとも身体部位ごとの除脂肪量および体脂肪率のいずれかであり、より好ましくは、身体部位ごとの除脂肪量および体脂肪率に加え、身体部位ごとの筋肉量および筋肉率などを含む生体情報である。
【００４１】
以下、体組成測定の対象とされる、全身および上記５つの身体部位を、総称して「被測定部位」というものとする。
【００４２】
マイコン１０は、インピーダンス計測部１０１と、部位別インピーダンス補正部１０２と、体組成計算部１０３とを含み、内部メモリ１３３に格納されたプログラムに従い、インピーダンスの計測、部位別インピーダンスの補正、および体組成の計算を行なう。また、部位別インピーダンス補正部１０２は、構成成分算出部１０２１、構成成分修正部１０２２およびインピーダンス算出部１０２２を含む。マイコン１０が実行するこれらの処理については、後に詳述する。
【００４３】
また、マイコン１０は、Ａ／Ｄ変換回路４５を介して取得される体重計測部３２、たとえば体重センサからの信号に基づいて、公知の手法により体重を測定する。また、後述する体組成計算部１０３での測定結果などを、表示部２０に表示するための信号を生成する。また、外部メモリ３３への書き込みおよび読み出しを行なう。
【００４４】
定電流発生回路４１Ａは、マイコン１０からの指示に応じて、複数の異なる周波数の交流電流を出力することができる。定電流発生回路４１Ａは、たとえば、マイコン１０からの指示に応じて発生させる周波数を可変とできるものであってもよいし、所定の周波数を発生可能な複数の回路を含んでいてもよい。
【００４５】
次に、本発明の実施の形態における体組成計１００の表示部２０および操作部３０の具体例を図４に示す。図４は、第２の筐体２の正面図である。
【００４６】
図４を参照して、第２の筐体２の本体部２．１の表示部２０は、第１の表示領域２０．１と第２の表示領域２０．２とを含む。第１の表示領域２０．１および第２の表示領域２０．２は、たとえば液晶等により構成される。
【００４７】
第１の表示領域２０．１には、被験者の身体特定情報や測定結果などを示す数値や文字、図形等が表示される。また、第２の表示領域２０．２には、たとえば、身体を複数の身体部位に分けた図形（以下「人体図」という）が表示される。そして、第１の表示領域２０．１に測定結果が表示される場合には、人体図のうち、表示中の被測定部位の部分が点灯表示される。これにより、第１の表示領域２０．１に表示されている被測定部位の情報を被験者に知らせることができる。
【００４８】
なお、表示部２０はこのような構成に限られず、表示中の被測定部位の情報が被験者に知らせることができるものであればよい。
【００４９】
操作部３０は、複数の操作スイッチを含む。たとえば、全身の体組成などの測定結果を表示するための全身スイッチ３０２と、体幹部の体組成などの測定結果を表示するための体幹スイッチ３０３と、左脚および右脚を含む脚部の体組成などの測定結果を表示するための脚スイッチ３０４と、左腕および右腕を含む腕部の体組成などの測定結果を表示するための腕スイッチ３０５と、各種設定や表示切替を行なうための設定／表示切替スイッチ３０６と、外部メモリ３３に記憶された測定結果を表示するためのメモリスイッチ３０７と、部位情報の設定の際などに数値の増減を行なうための上下スイッチ３０８と、被験者の情報を特定するための個人番号スイッチ３０９とを含む。なお、全身スイッチ３０２、体幹スイッチ３０３、脚スイッチ３０４、腕スイッチ３０５を総称して「部位別スイッチ」と称する。
【００５０】
個人番号スイッチ３０９は、少なくとも１つ設けられる。図４においては、２つ設けられ、この個人番号スイッチ３０９で指定される番号（１，２）ごとに、被験者の身体特定情報および測定結果などが外部メモリ３３に記憶される。
【００５１】
なお、操作部３０にたとえばゲストスイッチ３１０を設けて、測定の度に被験者の身体特定情報を入力し、体組成の測定を行なうこととしてもよい。
【００５２】
また、操作部３０は、上記のような操作スイッチにより構成されているものでなくてもよい。たとえば、タッチパネルなどにより各種情報や指示の入力がされるものであってもよい。
【００５３】
＜部位別インピーダンスの日内変動について＞
図５は、各身体部位のインピーダンス成分を示す模式図である。また、図６は、全身のインピーダンス成分を示す模式図である。図５および図６は、被験者の身体の各身体部位および全身を抵抗とコンデンサとからなる等価回路で近似して示したものである。
【００５４】
ここで、各インピーダンスの成分は、細胞内液による抵抗（以下「細胞内液の抵抗成分」という）Ｒｉ，細胞外液による抵抗（以下「細胞外液の抵抗成分」という）Ｒｏ，細胞膜による容量（以下「細胞膜の容量成分」という）Ｃｉにより表わされる。このとき、各インピーダンスは、細胞膜の容量成分Ｃｉおよび細胞内液の抵抗成分Ｒｉと、細胞外液の抵抗成分Ｒｏとが並列に接続された等価回路で表わされる。
【００５５】
なお、図５を参照して、左腕のインピーダンスを「Ｚｌｈ」、右腕のインピーダンスを「Ｚｒｈ」、体幹部のインピーダンスを「Ｚｔ」、左脚のインピーダンスを「Ｚｌｆ」、右脚のインピーダンス「Ｚｒｈ」と表わす。また、図６を参照して、全身のインピーダンスを「Ｚｗ」と表わす。また、以下の説明において、左腕のインピーダンスＺｌｈと右腕のインピーダンスＺｒｈとを含む腕部のインピーダンスを「Ｚｈ」、左脚のインピーダンスＺｌｆと右脚のインピーダンスＺｒｆとを含む脚部のインピーダンスを「Ｚｆ」と記す。
【００５６】
図５を参照して、左腕のインピーダンスＺｌｈは、細胞膜の容量成分Ｃｉ＿ｌｈおよび細胞内液の抵抗成分Ｒｉ＿ｌｈと、細胞外液の抵抗成分Ｒｏ＿ｌｈとの等価回路で表わされる。右腕のインピーダンスＺｒｈは、細胞膜の容量成分Ｃｉ＿ｒｈおよび細胞内液の抵抗成分Ｒｉ＿ｒｈと、細胞外液の抵抗成分Ｒｏ＿ｒｈとの等価回路で表わされる。体幹のインピーダンスＺｔは、細胞膜の容量成分Ｃｉ＿ｔおよび細胞内液の抵抗成分Ｒｉ＿ｔと、細胞外液の抵抗成分Ｒｏ＿ｔとの等価回路で表わされる。また、左脚のインピーダンスＺｌｆは、細胞膜の容量成分Ｃｉ＿ｌｆおよび細胞内液の抵抗成分Ｒｉ＿ｌｆと、細胞外液の抵抗成分Ｒｏ＿ｌｆとの等価回路で表わされる。右脚のインピーダンスＺｒｆは、細胞膜の容量成分Ｃｉ＿ｒｆおよび細胞内液の抵抗成分Ｒｉ＿ｒｆと、細胞外液の抵抗成分Ｒｏ＿ｒｆとの等価回路で表わされる。
【００５７】
また、図６を参照して、全身のインピーダンスＺｗは、細胞膜の容量成分Ｃｉ＿ｗおよび細胞内液の抵抗成分Ｒｉ＿ｗと、細胞外液の抵抗成分Ｒｏ＿ｗとの等価回路で表わされる。
【００５８】
上記インピーダンス成分のうち、細胞外液の抵抗成分Ｒｏに該当するリンパ液等の体水分は、一般的に、１日の中で朝から夕方にかけて下半身に移動する。このような、体水分の移動の影響による部位別インピーダンスの日内変動について、図９を用いて説明する。
【００５９】
図９は、部位別インピーダンスの日内変動について説明するための図である。図９において、横軸を時間、縦軸をインピーダンス値（Ω）とする。なお、図９では、朝８時に起床し、２４時に就寝した場合の一例を示すものとする。また、ここで示される各インピーダンスは、一般的に用いられる所定の周波数（たとえば５０ｋＨｚ）で計測されたインピーダンスであるものとする。
【００６０】
図９に示すように、全身インピーダンスＺｗは、体水分の移動の影響による日内変動は受けず一定（たとえば３００Ω）である。これは、図８に示したように、全身を各部に分けず１つの抵抗とみなして全身インピーダンスＺｗを求めるため、体水分の分布が変化しても全体のインピーダンスは変動しないことによる。
【００６１】
一方、腕部（上肢）のインピーダンスＺｈは、８時から２４時までの間、時間が経つにつれて次第に高くなる。図９において、８時では３５０Ωが計測され、２４時では３７０Ωが計測されている。これは、時間が経つにつれて体水分が減り、抵抗が大きくなるためである。
【００６２】
また、逆に、脚部（下肢）のインピーダンスＺｆは、８時から２４時までの間、時間が経つにつれて次第に低くなる。図９において、８時では３３０Ωが計測され、２４時では３１０Ωが計測されている。これは、時間が経つにつれて体水分が増え、抵抗が小さくなるためである。
【００６３】
このように全身のインピーダンスＺｗは、サウナで多量の汗を流すなどの特別なイベントがない限り、体水分の移動による影響による日内変動は起こらないといえる。しかし、図９に示されるように、部位別のインピーダンスは、体水分の移動による影響を受け、日内変動が起こる。
【００６４】
このため、計測された部位別のインピーダンスをそのまま用いて部位別の体組成を計算すると、部位別の体組成も、１日の中で測定する時間によって変動してしまうことになる。たとえば腕部（上肢）や脚部（下肢）の体脂肪率では、測定時刻によって１〜２％程度変動してしまうことになる。そうすると、適切な部位別の体組成を被験者に提示することができない。
【００６５】
そこで、本発明の実施の形態における体組成計１００では、このような体水分の移動による日内変動の移動を補正して、精度の高い部位別の体組成を測定する。
【００６６】
＜本発明の実施の形態におけるインピーダンスの計測＞
インピーダンス計測部１０１は、全身および少なくとも１つの身体部位の部位別インピーダンスを計測する。本実施の形態においては、部位別のインピーダンスとして、上記した左腕、右腕、左脚、右脚、体幹の５つの身体部位のインピーダンスを計測する。なお、このような５つの身体部位のうち、たとえば、左腕および左脚など２つの身体部位のインピーダンスを計測することとしてもよいし、他の組み合わせによる複数の身体部位のインピーダンスを計測することとしてもよい。
【００６７】
また、本実施の形態において、インピーダンス計測部１０１は、まず、左腕のインピーダンスＺｌｈと右腕のインピーダンスＺｒｈとを計測する。そして、たとえば、左腕のインピーダンスＺｌｈと右腕のインピーダンスＺｒｈとを合成することにより、腕部のインピーダンスＺｈを求める。
【００６８】
また、左脚のインピーダンスＺｌｆと右脚のインピーダンスＺｒｆとを計測する。そして、たとえば、左脚のインピーダンスＺｌｆと右脚のインピーダンスＺｒｆとを合成することにより、脚部のインピーダンスＺｆを求める。
【００６９】
なお、以下の説明において、インピーダンス計測の対象となる全身および５つの身体部位（左腕，右腕，左脚，右脚，体幹）を総称して、「被計測部位」という。
【００７０】
ところで、図５および図６に示したように、被計測部位のインピーダンスは、細胞外液の抵抗成分Ｒｏ，細胞内液の抵抗成分Ｒｉ，細胞膜の容量成分Ｃｉの合成成分である。
【００７１】
上記したように、全身における細胞外液の抵抗成分Ｒｏは、一般的に１日を通してほぼ変動しない。これに対し、身体部位における細胞外液の抵抗成分Ｒｏは、同じ１日の中でもたとえば朝と夕方とでは変動してしまう。また、短期的には、全身および身体部位のいずれにおいても、細胞膜の容量成分Ｃｉおよび細胞内液の抵抗成分Ｒｉはほぼ変動しない。したがって、たとえば１日の中で朝と夕方とで体組成を測定した場合、全身の体組成はほぼ変動しないが、部位別の体組成のみ変動してしまうということが生じる。
【００７２】
このようなことから、精度良く部位別の体組成を測定するためには、部位別の細胞外液の抵抗成分Ｒｏを修正する必要があることが分かる。
【００７３】
本実施の形態におけるインピーダンス計測部１０１は、複数の異なる周波数を発生可能な定電流発生回路４１Ａにおいて発生させる交流電流の周波数を指定する。「複数の異なる周波数」とは、少なくとも３つの異なる周波数である。このような、少なくとも３つの異なる周波数は、計測されるインピーダンスから上記したインピーダンス成分（細胞外液の抵抗成分Ｒｏ，細胞内液の抵抗成分Ｒｉ，細胞膜の容量成分Ｃｉ）を分離して算出可能とするための周波数である。
【００７４】
本実施の形態では、周波数Ｆａ，Ｆｂ，Ｆｃの３種類の周波数を定電流発生回路４１Ａに発生させる。すなわち、インピーダンス計測部１０１は、定電流発生回路４１Ａで発生させる周波数を上記３種類の周波数の中から順次指定し、指定した周波数ごとに、全身および部位別のインピーダンスを計測する。なお、周波数Ｆａをたとえば５０ｋＨｚ、周波数Ｆｂをたとえば１００ｋＨｚ、周波数Ｆｃをたとえば１０ｋＨｚとすることができる。また、本実施の形態では、複数の異なる周波数として上記３種類の周波数を用いることとしたが、少なくとも細胞外液の抵抗成分Ｒｏおよび細胞内液の抵抗成分Ｒｉが抽出できればよい。したがって、２種類の周波数であってもよいし、３種類より多くてもよい。
【００７５】
次に、具体的なインピーダンス計測方法について説明する。
【００７６】
インピーダンス計測部１０１は、電流印加用電極切替回路４２および電圧測定用電極切替回路４３を制御し、電流印加用の１対の電極１５〜１８および電圧測定用の１対の電極１１〜１４を各々順次切り替えて、全身および部位別のインピーダンス（Ｚｗ，Ｚｌｈ，Ｚｒｈ，Ｚｔ，Ｚｌｆ，Ｚｒｈ）を計測する。より具体的には、定電流発生回路４１Ａより流した電流値と、Ａ／Ｄ変換回路４５を介して取得される２極間の電位差とに基づいて、各インピーダンスを計測する。
【００７７】
たとえば左腕のインピーダンスＺｌｈは、図７に示すように、左手・左足間に交流電流を流し、両手間の電位差を測ることにより計測される。より詳細には、インピーダンス計測部１０１は、電流印加用の電極１５，１７間に各周波数Ｆａ，Ｆｂ，Ｆｃの交流電流を流し、電圧測定用の電極１１，１２間の電位差を測定することによって、３種類の左腕のインピーダンスＺｌｈを計測する。
【００７８】
また、全身のインピーダンスＺｗを計測するためには、図８に示すように、両手・両足間に交流電流を流し、両手・両足間の電位差を測ることにより計測される。より詳細には、インピーダンス計測部１０１は、両手の電流印加用の電極１５，１６間および、両足の電流印加用の電極１７，１８間をそれぞれ接続し、また、両手の電圧測定用の電極１１，１２間および、両足の電圧測定用の電極１３，１４間をそれぞれ接続して、電流印加用の電極１５〜１８に各周波数Ｆａ，Ｆｂ，Ｆｃの交流電流を１方向に流し、電圧測定用の電極１１〜１４を用いて電位差を測ることによって、３種類の全身のインピーダンスＺｗを計測する。
【００７９】
なお、本実施の形態においては、上述のように、被計測部位のインピーダンスを構成する構成成分としては、細胞膜の容量成分Ｃｉ、細胞内液の抵抗成分Ｒｉ、および細胞外液の抵抗成分Ｒｏの３つであることとしたが、他の成分により構成されることとしてもよい。
【００８０】
＜部位別インピーダンスの補正＞
部位別インピーダンス補正部１０２は、周波数ごとにインピーダンス計測部１０１で計測された全身インピーダンスと部位別インピーダンスとに基づいて、部位別インピーダンスの補正を行なう。なお、以下の説明において、部位別インピーダンス補正部１０２のうちインピーダンス算出部１０２３において算出される体組成演算用の部位別インピーダンスを、「演算用部位別インピーダンス」という。
【００８１】
ここでまず、部位別インピーダンス補正部１０２の構成成分算出部１０２１が実行するインピーダンス成分の算出方法の一例について説明する。
【００８２】
構成成分算出部１０２１は、被計測部位ごとに、周波数の値と周波数ごとのインピーダンスの値とに基づいて、少なくとも、細胞外液の抵抗成分Ｒｏと細胞内液の抵抗成分Ｒｉとを算出する。
【００８３】
具体的には、たとえば以下のような式を用いて計算することができる。なお、以下の式において、｜Ｚ｜は周波数ごとに計測されたインピーダンス値であり、ｆは交流電流の周波数を示す。
【００８４】
【数１】
2006239229.tif 000003
【００８５】
Ｚｒ＝［Ｒｏ｛Ｒｉ（Ｒｏ＋Ｒｉ）＋Ｘｃ２｝］／｛（Ｒｏ＋Ｒｉ）２＋Ｘｃ２｝
…（５）
Ｚｉ＝（Ｒｏ２×Ｘｃ）／｛（Ｒｏ＋Ｒｉ）２＋Ｘｃ２｝      …（６）
Ｘｃ＝１／（ｊ×２π×ｆ×Ｃｉ）                        …（７）
上記（４）〜（７）の式を用いて、被計測部位ごとの細胞外液の抵抗成分Ｒｏおよび細胞内液の抵抗成分Ｒｉを算出することができる。
【００８６】
このように、被計測部位ごとの細胞外液の抵抗成分Ｒｏおよび細胞内液の抵抗成分Ｒｉが算出されると、部位別インピーダンス補正部１０２の構成成分修正部１０２２は、身体部位における細胞内液の抵抗成分Ｒｉ＿ｂに対する細胞外液の抵抗成分Ｒｏ＿ｂの比率が、全身における細胞内液の抵抗成分Ｒｉ＿ｗに対する細胞外液の抵抗成分Ｒｏ＿ｗの比率と一致するように、身体部位における細胞外液の抵抗成分Ｒｏ＿ｂの値を修正する。
【００８７】
なお、上記「細胞外液の抵抗成分Ｒｏ＿ｂ」とは、身体部位ごとの細胞外液の抵抗成分（たとえばＲｏ＿ｌｈなど）を総称するものであり、「細胞内液の抵抗成分Ｒｉ＿ｂ」とは、身体部位ごとの細胞内液の抵抗成分（たとえばＲｉ＿ｌｈなど）を総称するものである。
【００８８】
このように、本発明の実施の形態において、構成成分修正部１０２２は、全身のインピーダンスを構成する細胞内液の抵抗成分Ｒｉ＿ｗおよび細胞外液の抵抗成分Ｒｏ＿ｗと、身体部位のインピーダンスを構成する細胞内液の抵抗成分Ｒｉ＿ｂとを用いて、細胞外液の抵抗成分Ｒｏ＿ｂを修正する。なお、被計測部位のインピーダンスを構成する構成成分が、細胞膜の容量成分Ｃｉ、細胞内液の抵抗成分Ｒｉ、および細胞外液の抵抗成分Ｒｏとは異なる成分である場合には、全身のインピーダンスを構成する複数の成分と、身体部位のインピーダンスを構成する少なくとも１つの構成成分とを用いて、身体部位のインピーダンスを構成する残りの構成成分を修正するものとする。この、「残りの構成成分」とは、好ましくは、細胞外液の抵抗成分Ｒｏ＿ｂに相当する成分である。
【００８９】
構成成分修正部１０２２によって、細胞外液の抵抗成分Ｒｏ＿ｂの値が修正されると、部位別インピーダンス補正部１０２のインピーダンス算出部１０２３は、演算用部位別インピーダンスを算出する。
【００９０】
なお、この部位別インピーダンス補正部１０２が実行する具体的な処理については、図１３のフローチャートを用いて後述する。
【００９１】
＜体組成の計算＞
体組成計算部１０３は、インピーダンス計測部１０１で計測された部位別インピーダンス、あるいは、インピーダンス算出部１０２３において算出された演算用部位別インピーダンスの情報に基づいて、被験者の部位別の体組成を計算する。また、体組成計算部１０３は、インピーダンス計測部１０１においてたとえば周波数Ｆａで計測された全身のインピーダンスの情報に基づいて、被験者の全身の体組成を計算する。
【００９２】
ここで、体組成計算部１０３において計算される全身および部位別の体組成のうち、除脂肪量および体脂肪率の計算方法について説明する。
【００９３】
（除脂肪量の計算）
はじめに、除脂肪量の計算式は、除脂肪量をＦＦＭ、インピーダンスをＺ、身長をＨ、体重をＷ、年齢をＡｇとすると、次式（１）で表わされる。なお、ここでのインピーダンス「Ｚ」は、インピーダンス算出部１０２３で演算用部位別インピーダンスが算出された場合は、その算出された値である。
【００９４】
ＦＦＭ＝ａ・Ｈ２／Ｚ＋ｂ・Ｗ＋ｃ・Ａｇ＋ｄ                …（１）
上記式（１）において、ａ〜ｄはそれぞれ所定の定数であり、性別や被測定部位ごとに異なるものとする。したがって、除脂肪量（ＦＦＭ）を算出する場合、式（１）のインピーダンス「Ｚ」の値は、被測定部位が全身であれば「Ｚｗ」、被測定部位が体幹部であれば「Ｚｔ」の値となる。
【００９５】
このような、性別や被測定部位ごとの除脂肪量の計算式に用いる所定の定数ａ〜ｄは、予め外部メモリ３３に記憶される。なお、除脂肪量（ＦＦＭ）の算出式は、式（１）のような１次関数に限られず、２次関数などであってもよい。
【００９６】
（体脂肪率の計算）
全身の体脂肪率の計算式は次式（２）で表わされる。
【００９７】
体脂肪率（％）＝｛体脂肪量（ｋｇ）÷体重（ｋｇ）｝×１００  …（２）
上記体脂肪量の計算式は次式（３）で表わされる。
【００９８】
体脂肪量（ｋｇ）＝体重（ｋｇ）−除脂肪量（ｋｇ）      …（３）
このように、全身の体脂肪率は、上記（１）式で計算された全身の除脂肪量（ＦＦＭ）に基づいて計算される。
【００９９】
また、部位別の体脂肪率は、計測された部位別のインピーダンスと身体特定情報との情報から、予めＤＥＸＡ（Dual energy X-ray absorptiometry）などで測定されたリファレンスとの相関に基づき計算される。
【０１００】
なお、体組成計算部１０３は、部位別の体組成として、上記左腕、右腕、左足、右脚、体幹の５つの身体部位の体組成を計算するものとしたが、たとえば、両腕、両脚、体幹の３つの身体部位の体組成を計算するものであってもよい。
【０１０１】
また、体組成のうち除脂肪量および体脂肪率以外の生体情報については、たとえば公知の手法などを用いて計算することができる。
【０１０２】
＜本発明の実施の形態における体組成計の動作＞
図１０および図１１は、本発明の実施の形態における体組成計１００の測定処理の流れを示すフローチャートである。なお、この処理が開示される時点で、予め外部メモリ３３には、被験者の個人番号に対応付けて、被験者の身体特定情報が記憶されているものとして説明する。
【０１０３】
図１０を参照して、初めに、電源スイッチ３０１が操作されると電源部３１によりマイコン１０に電力が供給される（ステップＳ１０）。続いて、マイコン１０は、体重計測部３２における体重計を初期化する（ステップＳ１２）。
【０１０４】
そして、マイコン１０は、体重計測部３２からのセンサ信号の出力が安定したか否かを判断する（ステップＳ１４）。センサ信号の出力が安定していないと判断すると（ステップＳ１４においてＮＯ）、ステップＳ１２に処理を戻す。一方、センサ信号の出力が安定したと判断した場合（ステップＳ１４においてＹＥＳ）、マイコン１０は、体重測定の準備が完了したことを検知する（ステップＳ１６）。
【０１０５】
続いて、マイコン１０は、個人番号の選択があったか否かを判断する（ステップＳ１８）。個人番号の選択がなかったと判断した場合（ステップＳ１８においてＮＯ）、体重のみの測定モードであると判断する（ステップＳ２０）。
【０１０６】
続いて、マイコン１０は、所定時間内に体重値が安定したか否かを判断する（ステップＳ２２）。所定時間内に体重値が安定しなければ（ステップＳ２２においてＮＯ）、エラーであると判定する（ステップＳ２４）。このとき、エラーである旨の表示を表示部２０の第１の表示領域２０．１に表示させてもよい。なお、後のステップにおいても、エラーと判定されると、同様の表示をさせてもよい。
【０１０７】
ステップＳ２４の処理が終了すると、体組成計１００の電源を切ってこの測定処理を終了する（ステップＳ６８）。
【０１０８】
ステップＳ２２において所定時間内に体重値が安定したと判断した場合（ステップＳ２２においてＹＥＳ）、体重値を確定する（ステップＳ２６）。そして、マイコン１０は、表示部２０にステップＳ２６において確定した体重値を表示する（ステップＳ２８）。ステップＳ２８の処理が終了すると、体組成計１００の電源を切ってこの測定処理を終了する（ステップＳ６８）。
【０１０９】
一方、ステップＳ１８において、個人番号が選択されたと判断した場合（ステップＳ１８においてＹＥＳ）、続いて、メモリスイッチ３０７が押されたか否かを判断する（ステップＳ３０）。メモリスイッチ３０７が押されたと判断した場合（ステップＳ３０においてＹＥＳ）、外部メモリ３３に記憶された過去の測定結果を示すメモリ値を表示する（ステップＳ３２）。なお、初めて体組成を測定する場合など過去のメモリ値が外部メモリ３３に記憶されていない場合には、たとえば、エラー表示を行なって、ステップＳ３４の処理へ進むこととしてもよい。
【０１１０】
ステップＳ３２の処理が終了すると、体組成計１００の電源を切ってこの測定処理を終了する（ステップＳ６８）。
【０１１１】
一方、ステップＳ３０においてメモリスイッチ３０７が押されなかったと判断した場合（ステップＳ３０においてＮＯ）、マイコン１０は、体重および体組成測定モードであると判断する（ステップＳ３４）。そして、マイコン１０は、所定時間内に体重値が安定したか否かを判断する（ステップＳ３６）。所定時間内に体重値が安定しなかった場合（ステップＳ３６においてＮＯ）、マイコン１０はエラーであると判定する（ステップＳ３８）。そして、ステップＳ３８の処理が終了すると、体組成計１００の電源を切ってこの測定処理を終了する（ステップＳ６８）。
【０１１２】
ステップＳ３６において所定時間内に体重値が安定したと判断した場合（ステップＳ３６においてＹＥＳ）、マイコン１０は体重値を確定する（ステップＳ４０）。確定した体重値は、たとえば外部メモリ３３の所定の領域に一時的に記憶される。
【０１１３】
ステップＳ４０の処理が終了すると、マイコン１０は、入力切替回路４４に制御信号を送信し、入力を電圧測定用電極１１〜１４からの電圧情報に切り替えて、図１１に示すステップＳ４２に処理を進める。
【０１１４】
図１１を参照して、ステップＳ４２において、マイコン１０のインピーダンス計測部１０１は、インピーダンス計測処理を行なう。このステップＳ４２におけるインピーダンス計測処理については、図１２に示す。
【０１１５】
図１２は、本発明の実施の形態におけるインピーダンス計測処理の流れを示す図である。
【０１１６】
図１２を参照して、はじめに、インピーダンス計測部１０１は、定電流発生回路４１Ａにおいて発生させる周波数として周波数Ｆａを指定する（ステップＳ１０２）。
【０１１７】
次に、インピーダンス計測部１０１は、指定した周波数で、全身インピーダンスを計測する（ステップＳ１０４）。続いて、インピーダンス計測部１０１は、指定した周波数で、身体部位ごとのインピーダンスを計測する（ステップＳ１０６）。なお、ステップＳ１０４およびステップＳ１０６で計測された各インピーダンスは、たとえば外部メモリ３３の所定の領域に一時的に記憶される。
【０１１８】
ステップＳ１０６の処理が終わると、インピーダンス計測部１０１は、周波数Ｆｂでのインピーダンスを計測済みか否かを判断する（ステップＳ１０８）。
【０１１９】
周波数Ｆｂでのインピーダンスを計測していないと判断した場合（ステップＳ１０８においてＮＯ）、定電流発生回路４１Ａにおいて発生させる周波数を周波数Ｆｂに変更する（ステップＳ１１０）。そして、ステップＳ１１０の処理が終了すると、ステップＳ１０４の処理に戻る。
【０１２０】
一方、周波数Ｆｂでのインピーダンスを計測済みであると判断した場合（ステップＳ１０８においてＹＥＳ）、インピーダンス計測部１０１は、周波数Ｆｃでのインピーダンスを計測済みか否かを判断する（ステップＳ１１２）。
【０１２１】
ステップＳ１１２において、周波数Ｆｃでのインピーダンスを計測していないと判断した場合（ステップＳ１１２においてＮＯ）、定電流発生回路４１Ａにおいて発生させる周波数を周波数Ｆｃに変更する（ステップＳ１１４）。そして、ステップＳ１１４の処理が終了すると、ステップＳ１０４の処理に戻る。
【０１２２】
一方、周波数Ｆｃでのインピーダンスを計測済みであると判断した場合（ステップＳ１１２においてＹＥＳ）、インピーダンス計測処理を終了する。
【０１２３】
なお、周波数の指定順序は、上記のような順序に限らない。また、たとえば、はじめに周波数Ｆａ，Ｆｂ，Ｆｃごとの全身インピーダンスを求めた後に、周波数Ｆａ，Ｆｂ，Ｆｃごとの身体部位ごとの部位別インピーダンスを求めることとしてもよい。
【０１２４】
また、各インピーダンスの計測は、次のようにして行なわれてもよい。まず、交流電流を流した後、所定時間内にインピーダンス値が所定範囲内であるか否かを判断する。所定時間内にインピーダンス値が所定範囲内にならなければ、エラーであると判定する。一方、所定時間内にインピーダンス値が所定範囲内にあると判断した場合、続いて、所定時間内にインピーダンス値が安定したか否かを判断する。所定時間内にインピーダンス値が安定しなければ、エラーであると判定する。所定時間内にインピーダンス値が安定したと判断した場合に、その値をインピーダンスの計測値とする。
【０１２５】
図１１に再び戻って、ステップＳ４２におけるインピーダンス計測処理が終了すると、マイコン１０内の部位別インピーダンス補正部１０２は、部位別インピーダンス補正処理を行なう。このステップＳ５０における部位別インピーダンス補正処理については、図１３に示す。
【０１２６】
図１３は、本発明の実施の形態における部位別インピーダンス補正処理の流れを示すフローチャートである。なお、以下に示す処理は、部位別インピーダンス補正部１０２の構成成分算出部１０２１、構成成分修正部１０２２およびインピーダンス算出部１０２３のいずれかにより実行される処理であるが、ここでは全て部位別インピーダンス補正部１０２によって実行されるものとして説明する。
【０１２７】
図１３を参照して、はじめに、部位別インピーダンス補正部１０２は、たとえば上記（４）〜（７）の式を用いて、全身の細胞外液の抵抗成分Ｒｏ＿ｗおよび細胞内液の抵抗成分Ｒｉ＿ｗを算出する（ステップＳ２０２）。次に、部位別インピーダンス補正部１０２は、たとえば上記（４）〜（７）の式を用いて、身体部位ごとの細胞外液の抵抗成分Ｒｏ＿ｂおよび細胞内液の抵抗成分Ｒｉ＿ｂを算出する（ステップＳ２０４）。
【０１２８】
次に、部位別インピーダンス補正部１０２は、インピーダンス計測部１０１で計測された複数の身体部位のうち１つの身体部位を選択する（ステップＳ２０６）。そして、選択した身体部位ごとに、Ｄ＝（Ｒｏ＿ｂ／Ｒｉ＿ｂ）／（Ｒｏ＿ｗ／Ｒｉ＿ｗ）を算出する（ステップＳ２０８）。すなわち、身体部位における細胞内液の抵抗成分Ｒｉ＿ｂに対する細胞外液の抵抗成分Ｒｏ＿ｂの比率に対する、全身における細胞内液の抵抗成分Ｒｉ＿ｗに対する細胞外液の抵抗成分Ｒｏ＿ｗの比率の比較値「Ｄ」を算出する。
【０１２９】
続いて、部位別インピーダンス補正部１０２は、選択した身体部位の上記比較値Ｄ＝１であるかを判断する（ステップＳ２１０）。すなわち、選択した身体部位の細胞内液の抵抗成分Ｒｉ＿ｂに対する細胞外液の抵抗成分Ｒｏ＿ｂの比率と、全身における細胞内液の抵抗成分Ｒｉ＿ｗに対する細胞外液の抵抗成分Ｒｏ＿ｗの比率とが一致しているか否かを判断する。
【０１３０】
ステップＳ２１０において、比較値Ｄ＝１であると判断した場合（ステップＳ２１０においてＹＥＳ）、ステップＳ２１４に進む。
【０１３１】
一方、ステップＳ２１０において、比較値Ｄ＝１でないと判断した場合、選択した身体部位の細胞外液の抵抗成分Ｒｏ＿ｂを修正する（ステップＳ２１２）。具体的には、次のようにして、修正される。
【０１３２】
Ｒｏ’＿ｂ＝Ｒｏ＿ｂ／Ｄ
上記式において、「Ｒｏ’＿ｂ」は、修正後の細胞外液の抵抗成分である。
【０１３３】
これにより、全身における細胞内液の抵抗成分Ｒｉ＿ｗに対する細胞外液の抵抗成分Ｒｏ＿ｗの比率と一致するように、選択された身体部位の細胞外液の抵抗成分Ｒｏ＿ｂが修正される。
【０１３４】
ステップＳ２１２において、細胞外液の抵抗成分Ｒｏ’＿ｂが算出されると、ステップＳ２１４に進む。
【０１３５】
ステップＳ２１４において、部位別インピーダンス補正部１０２は、演算用部位別インピーダンスを算出する。ステップＳ２１２において細胞外液の抵抗成分Ｒｏ＿ｂが修正された場合は、修正後の細胞外液の抵抗成分Ｒｏ’＿ｂを用いて演算用部位別インピーダンスが算出される。具体的には、たとえば上記（４）〜（７）の式にあてはめることにより、演算用部位別インピーダンス（「｜Ｚ’｜」と記す）が算出される。
【０１３６】
また、ステップＳ２１２の処理を経ていない場合は、ステップＳ２０４で算出された細胞外液の抵抗成分Ｒｏ＿ｂを用いて演算用部位別インピーダンスが算出される。あるいは、周波数Ｆａで算出された部位別インピーダンスを演算用部位別インピーダンスとしてもよい。
【０１３７】
ステップＳ２１４の処理が終わると、ステップＳ２１６に進む。
【０１３８】
ステップＳ２１６において、部位別インピーダンス補正部１０２は、全ての身体部位を選択済みか否かを判断する。全ての身体部位を選択済みでないと判断した場合（ステップＳ２１６においてＮＯ）、ステップＳ２０６へ戻り上述の処理を繰り返す。一方、全ての身体部位を選択済みであると判断した場合（ステップＳ２１６においてＹＥＳ）、部位別インピーダンス補正処理を終了する。
【０１３９】
なお、ステップＳ２１０において、比較値Ｄが１であるか否かを判断したが、所定の許容範囲を設けて、身体部位における細胞内液の抵抗成分Ｒｉ＿ｂに対する細胞外液の抵抗成分Ｒｏ＿ｂの比率と、全身における細胞内液の抵抗成分Ｒｉ＿ｗに対する細胞外液の抵抗成分Ｒｏ＿ｗの比率との一致度が許容範囲内か否かを判断してもよい。
【０１４０】
また、本実施の形態においては、全ての身体部位（左腕，右腕，体幹部，左脚，右脚）を、部位別インピーダンス補正処理の対象としたが、所定の身体部位のみを対象としてもよい。
【０１４１】
再び図１１に戻って、ステップＳ５０の部位別インピーダンス補正処理が終わると、体組成演算のためのインピーダンスが確定される（ステップＳ５２）。ステップＳ５２では、インピーダンス計測部１０１で計測した周波数Ｆａにおける全身インピーダンスＺｗ、および、部位別インピーダンス補正部１０２で算出された演算用部位別インピーダンス（｜Ｚ’｜）が、体組成演算のためのインピーダンス値として確定される。
【０１４２】
なお、本実施の形態においては、ステップＳ５２で確定されるインピーダンス値は、全身および３つの身体部位（腕部，体幹部，脚部）のインピーダンス値である。すなわち、左腕および右腕のインピーダンス値を合成して腕部のインピーダンス値とし、左脚および右脚のインピーダンス値を合成して脚部のインピーダンス値とする。
【０１４３】
ステップＳ５２において体組成演算のためのインピーダンス値が確定すると、体組成計算部１０３は、体組成の計算処理を行なう（ステップＳ５４）。ステップＳ５４において、体組成計算部１０３は、上述のように、全身の体組成および部位別の体組成を計算する。なお、体組成の計算は、たとえば公知の手法により行なうことができる。
【０１４４】
ステップＳ５４の処理が終了すると、マイコン１０は、ステップＳ４０において確定した体重値およびステップＳ５４において計算した体組成の数値を、外部メモリ３３に測定結果として記憶する（ステップＳ５６）。
【０１４５】
この測定結果は、被験者の個人番号ごとに、図示しない計時部より得られる日付および測定時刻の情報とともに、たとえば所定数記憶される。所定数を超えると、古いメモリ値に上書きされるなど、最新の測定結果が記憶される。なお、ステップＳ５６においては、体組成数値のみが記憶されることとしてもよい。また、ステップＳ５４で計算した体組成の数値のうち所定の情報のみを記憶することとしてもよい。
【０１４６】
次に、マイコン１０は、計算した体組成数値を表示部２０に表示する（ステップＳ５８）。ここでは、全身の体組成および他の情報が表示される。全身の体組成として、たとえば、体脂肪率、筋肉率、内臓脂肪レベルなどが表示される。また、たとえば、ステップＳ４０で確定した体重値、ＢＭＩ（体格指数）、基礎代謝、および、計算した基礎代謝が何歳に相当するかを表わす指標（以下「年齢指標」という）などもあわせて表示される。これらの情報は、表示部２０の第１の表示領域２０．１に表示され、第２の表示領域２０．２では、人体図の全て（全身）が点灯される。
【０１４７】
また、表示部２０の第１の表示領域２０．１が小さい場合などには、これらの情報を順に表示することとしてもよい。たとえば、図１４に示すように、はじめに、体重および基礎代謝を表示し（図１４（ａ）参照）、その後、設定／表示切替スイッチ３０６が操作される度に、順に、筋肉率および体脂肪率の表示（図１４（ｂ）参照）、ＢＭＩおよび内臓脂肪レベルの表示（図１４（ｃ）参照）、年齢指標の表示（図１４（ｄ）参照）と切り替え、これらが繰り返し表示されることとしてもよい。なお、図１４では、個人番号１の被験者の測定結果が表示されているものとする。
【０１４８】
たとえば図１４（ａ）では、第１の表示領域２０．１に、体重５２．３ｋｇ、基礎代謝１１８２ｋｃａｌと表示される。図１４（ｂ）では、第１の表示領域２０．１に、筋肉率２８．８％、体脂肪率２３．０％と表示される。図１４（ｃ）では、第１の表示領域２０．１に、ＢＭＩ２０．４、内臓脂肪レベル３と表示される。図１４（ｄ）では、第１の表示領域２０．１に、年齢指標２７才と表示される。また、図１４（ａ）〜（ｄ）において、第２の表示領域２０．２には、人体図の全て（全身）が点灯される。
【０１４９】
ステップＳ５８の処理が終了すると、ステップＳ６０に進み、マイコン１０は、メモリスイッチ３０７が押されたか否かを判断する。メモリスイッチ３０７が押されなかったと判断した場合（ステップＳ６０においてＮＯ）、続いて部位別スイッチ３０２〜３０５が押されたか否かを判断する（ステップＳ６４）。
【０１５０】
ステップＳ６４で部位別スイッチ３０２〜３０５が押されなかったと判断した場合（ステップＳ６４にてＮＯ）、マイコン１０は、体組成計１００の電源を切ってこの測定処理を終了する（ステップＳ６８）。
【０１５１】
一方、ステップＳ６４において部位別スイッチ３０２〜３０５のいずれかが押されたと判断した場合（ステップＳ６４においてＹＥＳ）、マイコン１０は、ステップＳ６４において押されたスイッチの種類に対応する被測定部位の体組成の測定値を表示部２０に表示させる（ステップＳ６６）。この場合、表示部２０の第１の表示領域２０．１には、指定された被測定部位の体組成が表示される。また、第２の表示領域２０．２では、指定された被測定部位が点灯表示される。
【０１５２】
ここで、ステップＳ６４で、部位別スイッチ３０２〜３０５のうち、体幹スイッチ３０３，脚スイッチ３０４，腕スイッチ３０５のいずれかが押圧された場合の表示例を、図１５に示す。
【０１５３】
図１５（ａ）は、体幹スイッチ３０３が押された場合の体幹部の体組成の表示例である。たとえば、筋肉率３２．１％、体脂肪率２５．３％が表示される。また、第２の表示領域２０．２には、人体図のうち体幹部の部分が点灯表示される。
【０１５４】
図１５（ｂ）は、脚スイッチ３０４が押された場合の脚部の体組成の表示例である。たとえば、筋肉率５０．０％、体脂肪率３３．８％が表示される。また。第２の表示領域２０．２には、人体図のうち脚部の部分が点灯表示される。
【０１５５】
図１５（ｃ）は、腕スイッチ３０５が押された場合の腕部の体組成の表示例である。たとえば、筋肉率４５．０％、体脂肪率３６．４％が表示される。また、第２の表示領域２０．２には、人体図のうち腕部の部分が点灯表示される。
【０１５６】
なお、全身スイッチ３０２が押された場合には、図１４（ｂ）に示した表示に戻る。
【０１５７】
ステップＳ６６の処理が終了すると、再びステップＳ６０に戻る。
【０１５８】
ステップＳ６０において、メモリスイッチ３０７が押されたと判断した場合（ステップＳ６０においてＹＥＳ）、マイコン１０は、外部メモリ３３に記憶された過去の測定結果であるメモリ値を、表示部２０の第１の表示領域２０．１に表示する（ステップＳ６２）。
【０１５９】
この場合、直前に表示されていた被測定部位に対応したメモリ値を読み出して表示する。たとえば、直前に、脚部の体組成が表示されていた場合、メモリスイッチ３０７が押されると、脚部の体組成の過去の測定結果が読み出されて表示される。
【０１６０】
また、ステップＳ６０において、メモリスイッチ３０７が押される度に、たとえば１週間前、２週間前というように、遡って対応する被測定部位の過去の測定結果が表示される。これにより、過去の測定値と比較した体組成の変化を把握することができる。
【０１６１】
ステップＳ６２の処理が終了すると、再びステップＳ６０に処理を戻す。
【０１６２】
なお、ここでは、ステップＳ５２で確定されるインピーダンス値を、全身および３つの身体部位（腕部、体幹部、脚部）のインピーダンス値としたが、ステップＳ５２で確定されるインピーダンス値を、全身および５つの身体部位（左腕、右腕、左脚、右脚、体幹）のインピーダンス値としてもよい。この場合、全身および５つの身体部位ごとの体組成を計算し、計算した体組成数値を、全身および５つの身体部位ごとに記憶、および表示するようにしてもよい。
【０１６３】
上述のように、本発明の実施の形態における体組成計１００によると、体水分の移動の影響による部位別のインピーダンスの日内変動を補正することができる。したがって、全身および部位別の体組成を精度良く測定することができる。
【０１６４】
また、本発明の体組成計が行なう、インピーダンス計測方法、部位別インピーダンス補正方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１６５】
提供されるプログラム製品は、ハードディスクなどのプログラム格納部にインストールされて実行される。なお、プログラム製品は、プログラム自体と、プログラムが記録された記録媒体とを含む。
【０１６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６７】
【図１】本発明の実施の形態における体組成計の外観斜視図である。
【図２】被験者が本発明の実施の形態における体組成計を用いて、体組成を測定する際の測定姿勢を示す図である。
【図３】本発明の実施の形態における体組成計のブロック図である。
【図４】体組成計の第２の筐体２の正面図である。
【図５】各身体部位のインピーダンス成分を示す模式図である。
【図６】全身のインピーダンス成分を示す模式図である。
【図７】左腕のインピーダンスの計測方法を説明するための図である。
【図８】全身のインピーダンスの計測方法を説明するための図である。
【図９】部位別インピーダンスの日内変動について説明するための図である。
【図１０】本発明の実施の形態における体組成計の測定処理の流れを示す第１のフローチャートである。
【図１１】本発明の実施の形態における体組成計の測定処理の流れを示す第２のフローチャートである。
【図１２】本発明の実施の形態におけるインピーダンス計測処理の流れを示すフローチャートである。
【図１３】本発明の実施の形態における部位別インピーダンス補正処理の流れを示すフローチャートである。
【図１４】全身の測定結果の表示例を示す図である。
【図１５】部位別の測定結果の表示例を示す図である。
【符号の説明】
【０１６８】
１  第１の筐体、１．１，１．２  載置部、２  第２の筐体、２．１  本体部、２．２，２．３  グリップ部、３  ケーブル、４  収納部、１０  マイコン、１１〜１８  電極、２０  表示部、２０．１  第１の表示領域、２０．２  第２の表示領域、３０  操作部、３１  電源部、３２  体重計測部、３３  外部メモリ、４１Ａ  定電流発生回路、４２  電流印加用電極切替回路、４３  電圧測定用電極切替回路、４４  入力切替回路、４５  Ａ／Ｄ変換回路、１００  体組成計、１０１  インピーダンス計測部、１０２  部位別インピーダンス補正部、１０３  体組成計算部、１３３  内部メモリ、３０１  電源スイッチ、３０２  全身スイッチ、３０３  体幹スイッチ、３０４  脚スイッチ、３０５  腕スイッチ、３０６  設定／表示切替スイッチ、３０７  メモリスイッチ、３０８  上下スイッチ、３０９  個人番号スイッチ、３１０  ゲストスイッチ。
【図１】
2006239229.tif 000004
【図２】
2006239229.tif 000005
【図３】
2006239229.tif 000006
【図４】
2006239229.tif 000007
【図５】
2006239229.tif 000008
【図６】
2006239229.tif 000009
【図７】
2006239229.tif 000010
【図８】
2006239229.tif 000011
【図９】
2006239229.tif 000012
【図１０】
2006239229.tif 000013
【図１１】
2006239229.tif 000014
【図１２】
2006239229.tif 000015
【図１３】
2006239229.tif 000016
【図１４】
2006239229.tif 000017
【図１５】
2006239229.tif 000018